(57)【要約】【課題】  スタンドアローン型ネットワークカメラの製作と、時間軸に対し忠実にカメラからの映像信号を記録する装置の製作。それと同時に携帯電話やインターネットに配信する為のシステムの構築。携帯電話やインターネットから受信した、ムービー添付メールなどを多人数で観賞するためのシステム構築である。【解決手段】  ネットワークカメラに無線ＬＡＮ機能とＮＴＳＣトランスミッター機能を備え、同時にバッテリー駆動を可能にすることによりスタンドアローン型ネットワークカメラは成立する。携帯電話の動画映像録再生機能とメールへの添付機能などを総合的に活用し、映像のライブ配信やオンデマンドストリーミングを可能にする。【選択図】図１
2006191513.tif 000002
【特許請求の範囲】
【請求項１】
カメラシステムは、ズームやパーン、チルトやプレビュー機能等を無線ＬＡＮによって実現し、カメラのＮＴＳＣ映像信号は１，２Ｇｈｚ帯及び２，４ＧＨｚ帯の映像用トランスミッターを使用して電源には、１２０ＷＨのニッカド水素バッテリーパックを使用する。
これによりスタンドアローン型ネットワークカメラを実現しようとするものである。
【請求項２】
オペレーション筐体側では、これら無線で送られてきた信号を制御し、映像のコントロール、保存、配信のためのデータ作成などを行う。
配信センターを別途設ける為、オペレーション筐体と配信センター間の通信インフラは、ＡＤＳＬ程度の通信速度で十分ということになる。
【請求項３】
携帯電話のムービー機能等を使用して、何時でも見たいときに見せたい人に見せることが出来るようにする為、配信センターには、電子上の貸金庫のようになっており、ＩＤとパスワードで顧客管理とデータ管理を行うものである。
【発明の詳細な説明】
【技術分野】
【０００１】  テレビの中継システムではあたりまであるが、カメラを数台使い、その画像をスイッチングしてひとつの映像にすると言う考え方はあまり民間では普及していない。このスイッチングされたカメラ映像を安価に実現しようとするものである。
【背景技術】
【０００２】  写真やビデオなどの考え方は、その瞬間を捉えよういうものである。【０００３】  複数台のカメラを同時に操作して時間軸に忠実に記録するという考え方は、一般的にはあまり普及していない。【０００４】  防犯目的のカメラの場合は、一定期間全てのカメラの映像を保存できないと意味が無いが、保存するビデオテープやハードディスクなどのデバイス容量に限りがあり、どうしても多くの時間、映像を保存しようとした場合、画質が低下してしまう。【０００５】  現在、存在するストレージサービスは、ハードディスクの容量を貸し出しているのに過ぎなく、１コンテンツの容量を、低金額で運営しているストレージサービスは無い。
【発明の開示】
【発明が解決しようとする課題】
【０００６】  時間軸に忠実なスイッチング方式による動画映像の高画質記録及び配信。【０００７】  メンテナンスフリーを目指す為の無線カメラシステム。【０００８】  何時でも見たいときに見せたい人に見せられる動画映像配信サービス。
【課題を解決するための手段】
【０００９】  カメラシステムは、ズーム、パーン、チルト等の基本的な機能をリモートで行え、アナログＮＴＳＣ映像出力などの性能を持ち合わせたネットワークカメラを使用する。【００１０】  スタンドアローンカメラスタンド筐体を目指し、メンテナンスフリーを実現するためには、カメラのコントロール信号とプレビュー映像信号を無線ＬＡＮ、アナログＮＴＳＣ信号を１，２ＧＨｚや２，４ＧＨｚ帯のトランスミッターを使用、そしてカメラ本体への電源供給も含め、これらの電源を１２０ＷＨのニッケル水素バッテリーパックを利用することで解決する。【００１１】  オペレーション筐体は、これらの無線信号を受信し、カメラのコントロール、映像のスイッチング、アナログＮＴＳＣ映像出力信号をＭｐｅｇ−２に変換してハードディスクに保存する。【００１２】  そしてオペレーション筐体に配備してある、アナログ出力をプロジェクターなどの大画面ディスプレーに接続することにより、多人数での情報共有が可能となる。【００１３】  スイッチングされた映像データは、ＡＤＳＬ回線を使って、配信センターに伝送する。【００１４】  配信センターに配信を任せることにより、オペレーター側に大きな容量を持った通信インフラが不要になり余分な設備投資を行わなくてすむ。【００１５】  配信センターには、通信トラフィックを回避できる十分な通信インフラを設備しており、常に各オペレーターのスケジュールと、そのイベントごとに届く電子メールやムービー添付メールなどの行き先も管理している。【００１６】  配信センターは、ライブ配信のほかに、オンデマンドでのストリーミング配信にも対応しており、このシステムを利用したユーザーはもちろんであるが、携帯電話で撮影したような、ムービーデータも１コンテンツ単位で管理する。【００１７】  現在のストレージサービスが、ハードディスクの容量を単位としているのに対して、このシステムでは、３分以内の３ＧＰフォーマットムービーデータを１コンテンツとしてカウントすることから、ユーザーは低金額でその役務を享受できる。
【発明の効果】
【００１８】  動画映像をスイッチングして高画質のＤＶＤビデオに残すという作業を非常に簡略化された形で実施できる。【００１９】  リアルタイムで携帯電話、インターネットなどにライブ配信が可能なことから、その場所にいなくても、外部から現在起こっていることを映像と音で確認できる。【００２０】  オンデマンドストリーミングにより、何時でも見たいときに見せたい人に特定のコンテンツを見せることが出来、又、コンテンツ単位での課金となるので、現在あるような一定容量のハードディスクを借りるストレージサービスとは違い安価で利用できる。【００２１】  これだけの効果がありながらも、スタンドアローン型ワイヤレスカメラ筐体など、メンテナンスフリーによる工事が簡単なことと、その費用負担が少ないこと、営業で使用する場合、工事にかかる日数分の売り上げの確保等、数字では表せないほどのメリットがある。
【発明の実施するための最良の形態】
【実施例】
【００２２】  以下、本発明の実施の形態を図１〜図６に基づいて説明する。【００２３】  図１においては、本特許の基本的なシステム構成を示すものである。【００２４】  現在、結婚披露宴を開催するカップルの８０％以上がビデオ会社もしくはホテルなどの設備によって、思い出をビデオ映像として残しているといわれている。【００２５】  しかし、タレントかテレビ関係者で無い限り複数台のカメラが入って撮影することはまず考えられない。【００２６】  なぜなら、どんなに一生に一回きりのイベントであっても、費用がかかりすぎるからだ。【００２７】  さらには、そのスタッフや照明などで、せっかくのイベントとしての構成や効果が台無しになってしまう。【００２８】  本システムを利用することにより、カメラを意識することなく４台それぞれのアングルから理想的な映像が生まれ、それをスイッチングすることにより、そのときに起きた事の全てを、時間軸に忠実に記録できる。【００２９】  しかも、これだけの作業がオペレーターたった一人でこなせるのである。【００３０】  図１の披露宴会場８の入場口から新郎新婦が入場してくる。【００３１】  それらの模様を１ａ，１ｂ，１ｃ，１ｄに配置してある各ワイヤレススタンドアローン型カメラが捕らえる。【００３２】  各カメラ筐体から発信された電波は、２のオペレーション筐体が受信し、カメラをコントロールしながら、スイッチングする。【００３３】  この映像は、３の大画面プロジェクターに映し出され、会の始まりをより華やかに演出し、死角をもフォローする意図がある。【００３４】  それと同時に、この時点から生のライブ中継がスタートし、映像と音はＭｐｅｇ−２に変換され、オペレーター筐体内のハードディスクに保存される。【００３５】  携帯電話やインターネットに生放送されているため、参加者が自分の携帯電話でその様子を確認することも出来、又、その場から電子メールやムービーを添付したメールを送信することも出来る。【００３６】  図２、図３は、スタンドアローン型ワイヤレスカメラ筐体である。【００３７】  倒れづらくするために、重心を極端なまでに下方に持っていったこと（バッテリーパックを１２に配備）と、底面の円形部分１３を大きめに設定した。【００３８】  １１のスタンド部分と１０のネットワークカメラを一体化させることにより、より存在感が少なくなり、設置場所などの自由なアレンジが可能となる。【００３９】  ９は２段式ＮＴＳＣ，無線ＬＡＮ用のアンテナである。【００４０】  ＮＴＳＣをトランスミッターで送信する場合、少しでも高い場所に設置して電波をさえぎるものを避けることと、無線ＬＡＮとの電波の干渉を最小限にとどめる目的がある。【００４１】  １４は無線装置基盤から発生する熱をスムーズに排出し、熱暴走などのトラブルを避けるために配置した、強制排気ファンである。【００４２】  １５は、メンテナンス用扉であり、この部分に無線装置が納められている。【００４３】  １６は、バッテリーパックを挿入する部分で、ニッケル水素バッテリーパックだけでもかなりの重量があり、安定度を増すためにこの場所に配置した。【００４４】  図４は、オペレーター筐体である。【００４５】  図２、３で示した、スタンドアローン型ワイヤレスカメラ筐体から送られてきた無線通信データを元に各カメラへのコントロールを行い、同時にスイッチングされた映像をアナログ出力、Ｍｐｅｇ−２へのコンバートを行うと共に、ＡＤＳＬ回線を通じて３ＧＰ、インターネットへの配信及びメールとムービー添付メールの受信を行うものである。【００４６】  １７は、スタンドアローン型ワイヤレスカメラ筐体のアンテナと同様に２段式になっており、ＤＶＤビデオへの書き込みのために２０にＤＶＤライティングドライブを装備する。【００４７】  このシステムから出来るだけコントロールに関して、身近に感じ使いやすさ簡単さをイメージさせるため、１８の１５インチタッチセンサーＴＦＴ液晶ディスプレーに加えて、１９の３次元式ジョイスティックを採用した。【００４８】  コントロール用と記録用にマザーボードを２ユニット装備することから、かなりの熱量が発生するため、２２に筐体の半分に近い排熱用排気口を設けた。【００４９】  ２３は、メンテナンス用ハッチであり、２４に１９インチ２Ｕタイプのターミナル端子を設けた。【００５０】  図６は、このシステムを実現するためのフローチートである。【００５１】  ２５は、イベントの始まりである。【００５２】  これを受けて、２６でオプションの判断を行い、ＤＶＤビデオと同時に携帯電話やインターネットなどへの配信を選択した場合は、そのスケジュールを３１の配信センターに通知し、２７のオペレーションシステムに進む。【００５３】  ２７でスイッチングされた映像データは、２８のＭｐｅｇ−２ハードウエアーエンコーダーと３２の３ＧＰエンコーダーにそのデータが渡される。【００５４】  ２８でエンコードされたＭｐｅｇ−２データは、２９のハードディスクにリアルタイムで記録され、イベントの終了後３０のＤＶＤへのオーサリング作業を経て全ての業務を終了する。【００５５】  一方、３２で３ＧＰにエンコードされたデータは、３７のＡＤＳＬ以上の通信速度を持った通信インフラにより、３１の配信センターに伝送され、そこから３６の携帯電話網及びインターネット網により３３のユーザーディスプレイに配信される。【００５６】  ３８は携帯電話網及びインターネット網であり、３４の一般ユーザーからの携帯電話のムービーなどの動画データを受け取り、同様にオンデマンドでストリーミング配信を行うものである。
【図面の簡単な説明】
【００５７】
【図１】システム構成図（結婚祝賀披露宴を想定した場合）
【図２】スタンドアローン型ワイヤレスカメラ筐体（前面図）
【図３】スタンドアローン型ワイヤレスカメラ筐体（背面図）
【図４】オペレーション筐体（前面図）
【図５】オペレーション筐体（背面図）
【図６】システムフローチャート
【符号の説明】
【００５８】  １ａ．スタンドアローン型ワイヤレスカメラ筐体１
１ｂ．スタンドアローン型ワイヤレスカメラ筐体２
１ｃ．スタンドアローン型ワイヤレスカメラ筐体３
１ｄ．スタンドアローン型ワイヤレスカメラ筐体４
２．オペレーター筐体
３．背面投影式プロジェクター
４．ひな壇
５．ウエディングケーキ
６．来客席
７．ステージ
８．出入り口
９．２段式ＮＴＳＣ・ＬＡＮ用アンテナ
１０．ネットワークカメラ
１１．スタンド筐体
１２．バッテリー収納部
１３．台座
１４．排熱用ファン
１５．無線ＬＡＮ，ＮＴＳＣトランスミッター収納部
１６ａ．バッテリーパック収納口
１６ｂ．パワースイッチ
１７．２段式ＮＴＳＣ・ＬＡＮ用アンテナ
１８．１５インチタッチセンサー付きＴＦＴ液晶モニター
１９．ジョイスティック
２０．ＤＶＤレコーダー
２１．２段式ＮＴＳＣ・ＬＡＮ用アンテナ
２２．筐体背面熱排気用パンチングボード
２３．メンテナンス用開口扉
２４．２Ｕターミナルボード
２５．イベントの発生
２６．オプションの判断
２７．オペレーションシステム（スイッチング）
２８．スイッチングされたＮＴＳＣ信号をＭｐｅｇ−２フォーマットに変換
２９．変換されたムービーデータをハードディスクに保存
３０．ＤＶＤビデオとしてオーサリング
３１．配信センター
３２．３ＧＰにエンコード
３３．携帯電話やインターネットに配信
３４．携帯電話のムービーなどを直接アップロード
３５．ＡＤＳＬ以上の通信速度有した通信網
３６．携帯電話網やインターネット網
３７．ＡＤＳＬ以上の通信速度有した通信網
３８．携帯電話網やインターネット網
【図１】
2006191513.tif 000003
【図２】
2006191513.tif 000004
【図３】
2006191513.tif 000005
【図４】
2006191513.tif 000006
【図５】
2006191513.tif 000007
【図６】
2006191513.tif 000008